(57)【特許請求の範囲】
【請求項１】
デッドボルトと、一端を錠箱内に枢支され、デッドボルトと共にストライクの係入孔に共に係入できるように併設されたカマ片とを有し、上記デッドボルトは、その長さ方向に沿って形成された案内長孔と、錠箱の厚さ方向に延在するガイド杆との係合によって、錠箱内でフロント板に垂直な前後方向に移動可能に支承されると共に、シリンダ錠又はサムターンによって回動操作されるデッドカムの作動に伴って、その先端が錠箱のフロント板から突出入され、また、デッドボルトとカマ片はデッドボルトに突設した作動ピンとカマ片に設けた長孔の組でなる連係手段で連結されたものにおいて、デッドボルトに、案内長孔と同幅のガイド溝を有する緩衝ブロックを案内長孔とガイド溝とが重なり合うように装着し、このガイド溝の両端に、一部が案内長孔内に覗く緩衝体を装着したことを特徴とする錠装置。
【発明の詳細な説明】
【技術分野】
【０００１】
この発明は、錠装置に係り、特に、施解錠時に発生する騒音を低減し得る錠装置に関する。
【背景技術】
【０００２】
本出願人は、先に、後記特許文献１を以て、新規な建具用錠箱を提案した。
この特許文献１に記載された建具用錠箱には錠装置が組込まれているが、この錠装置は、錠箱内で水平方向に移動可能に案内されたデッドボルトと、一端を錠箱内に枢支され、デッドボルトと共にストライクの係入孔に共に係入できるように併設された鎌片とを有するもので、この錠装置は従来周知である。
【特許文献１】特開２００８−００２０５８
【発明の開示】
【発明が解決しようとする課題】
【０００３】
上記錠装置におけるデッドボルトは、その長さ方向に沿って形成された案内長孔（図２に符号４で示す）と、錠箱の支柱を兼ねるガイド杆５との係合による案内機構、及び、フロント板に開口したデッドボルトの出没孔に案内されてフロント板に垂直な前後方向に移動可能に案内されている。
【０００４】
ところが、上記錠装置は、施解錠毎に、上記案内長孔の端部とガイド杆とが衝突し、騒音が発生する、という不都合がある。
【０００５】
そこで、この発明は、施解錠時に騒音が発生しない錠装置を提供し、以て上記した不都合を解消することを目的としている。
【課題を解決するための手段】
【０００６】
上記の目的を達成するため、請求項１に記載の発明は、デッドボルトと、一端を錠箱内に枢支され、デッドボルトと共にストライクの係入孔に共に係入できるように併設されたカマ片とを有し、上記デッドボルトは、その長さ方向に沿って形成された案内長孔と、錠箱の厚さ方向に延在するガイド杆との係合によって、錠箱内でフロント板に垂直な前後方向に移動可能に支承されると共に、シリンダ錠又はサムターンによって回動操作されるデッドカムの作動に伴って、その先端が錠箱のフロント板から突出入され、また、デッドボルトとカマ片はデッドボルトに突設した作動ピンとカマ片に設けた長孔の組でなる連係手段で連結されたものにおいて、デッドボルトに、案内長孔と同幅のガイド溝を有する支持ブロックを案内長孔とガイド溝とが重なり合うように装着し、このガイド溝の両端に、一部が案内長孔内に覗く緩衝体を装着したことを特徴とする。
【発明の効果】
【０００７】
上記のように構成された請求項１に記載の発明は、錠装置の施解錠毎に、ガイド溝の両端に装着された一対の緩衝体の何れか一方がガイド杆と衝突するが、この衝突の際緩衝体の弾性変形や振動、或いは振動に起因する緩衝体内の内部摩擦により衝撃が緩衝され、騒音の発生を無くし、或いは低減させ得る、という所期の効果を奏する。
【０００８】
また、ガイド杆に緩衝体を巻装する、という構成と比較して、デッドボルトの行程の最後においてのみガイド杆と緩衝体が接触するのみで、作動中は両者が接触しないので、両者の接触による摩擦の発生がなく、デッドボルトの作動の円滑性が損われない、等種々の効果を奏する。
【発明を実施するための最良の形態】
【０００９】
デッドボルトに、案内長孔と同幅のガイド溝を有する支持ブロックを案内長孔とガイド溝とが重なり合うように装着し、このガイド溝の両端に、一部が案内長孔内に覗く緩衝体を装着したので、デッドボルトの作動に悪影響を及ぼさないデッドボルトの緩衝装置を構成することができた。
【実施例１】
【００１０】
以下、この発明の実施例を図面を参照して説明する。
図１及び図２において符号１は錠箱を、符号２はフロント板をそれぞれ示す。
【００１１】
上記錠箱１内にはデッドボルト３が、フロント板２な垂直な前後方向（図２で左右方向）に移動可能に案内されている。
【００１２】
図示の実施例では、図１及び図３に示すように、デッドボルト３は厚板を断面が上に開いた略コ字形に折曲して形成した枠材で、フロント板２に開口した付番しないデッドボルト開口と、デッドボルトの内端部にその長さ方向に沿って形成された案内長孔４（図２及び図４参照）及び錠箱の支柱を兼ねるガイド杆５（図２参照）との係合による案内手段とによって前後方向に移動可能に案内されている。
【００１３】
一方、カマ片６は３枚の板材を重合させて形成してあり（図１参照）、図２に示すように、その一端（上端）は錠箱１内に枢軸７で枢支してあり、他端は該カマ片６の前方への揺動により錠箱１の開口から突出し図示しないストライクの係入孔に同時に突出するデッドボルト３と共に係入するようにしてある。
【００１４】
カマ片６の大部分は横断面コ字状のデッドボルト３の空間部内に嵌まり合うように収納されており、デッドボルト３とカマ片６とは、デッドボルト３に突設した作動ピン８とカマ片６に設けた長孔９で構成された連係手段により連結されている。
【００１５】
他方、符号１１は錠箱１内の後方部に支承されたデッドカムで、その一端部の作動アーム１２はデッドボルト３の後端部に形成された従動切欠１３に係合させてある。そして、デッドカム１１は錠箱１の側板に突設した前後で対をなすストッパ１４、１４の間を揺動する。
【００１６】
更に、デッドカム１１は、錠箱１に装着されたシリンダ錠の内筒及びサムターン（いずれも図示しない）に連係させてあり、シリンダ錠に差し込んだ鍵又はサムターンを時計方向或いは半時計方向に回動させると、デッドカム１１はこれに従動して回動し、図２で時計方向に回動してデッドボルト３をフロント板から突出させて施錠し、或いは反時計方向に回動して解錠する。
【００１７】
同時に、デッドボルト３に連係手段を介して連結されているカマ片６は、枢軸７を中心として揺動し、その他端（自由端）を錠箱１のフロント板から同様に突出入する。
【００１８】
なお、図２において符号１５はクリックレバーを示し、このクリックレバー１５はデッドカム１１の揺動の終端においてこれにクリック感を付与するものであるが、この発明と関係がないので、更に詳細な説明は省略する。
【００１９】
また、図２において符号１６は前後方向に延在するトリガー杆を示し、このトリガー杆１６は、後端部に前後方向に延在するカム溝１７を開口させる共に、錠箱１内において前後方向に移動可能に案内されている。
【００２０】
一方、上記トリガー杆１６と重合するようにして、前端を揺動可能に支持案内された係止杆１８が設けられていて、この係止杆に植設された従動ピン１９が上記カム穴１７に摺動可能に係合している。
【００２１】
上記した構成により、開扉時トリガー杆１６がフロント板２から突出しているときには、従動ピン１９がカム穴１７によって上方に押上げられ、係止杆１８の後端が付番しないデッドボルト３の切欠に係合するので、合鍵又はサムターンによるデッドボルトの突出を防止できる。
【００２２】
なお、このトリガー装置は本願発明の要旨ではないので、更に詳細な説明は省略する。
【００２３】
本願発明による錠装置の特徴的な構成は、次に述べるように、デッドボルト３に緩衝体が装着されていることである。
【００２４】
図示の実施例では、緩衝体は支持ブロックを介してデッドボルト３に装着されている。
【００２５】
上記支持ブロック２１は、図４乃至図６に示すように、略コ字形に折曲された板材よりなるデッドボルト３（図３参照）の内部空間に収納できる厚さの直方体で、その材質を例えば合成樹脂とすれば、成形加工が簡単である。
【００２６】
図４に示す支持ブロック２１の正面には、結合ピンを通すためのピン穴２２と、前記案内長孔４と同幅のガイド溝２３とが夫々形成されている。なお、ピン穴２２及びガイド溝２３は夫々支持ブロックを厚さ方向に貫通している。
【００２７】
また、上記ガイド溝２３の両端には夫々切欠２４が形成されており、この切欠２４に、例えばゴム材で構成された緩衝体２５（図７及び図８参照）が嵌め込まれている。
【００２８】
なお、四角いブロック状の緩衝体には、図７に示す正面の上下面に係合溝２６、２６が形成されており、これらの係合溝２６、２６を図４に示す支持ブロックの切欠２４を保つ上下の端縁に摺接させるようにして緩衝体２５、２５を支持ブロックに嵌め込む。
【００２９】
上記のようにして緩衝体２５、２５を装着した支持ブロック２１をデッドボルトの内部空間に嵌め込み、固定ピン２７（図９参照）をデッドボルトにかしめ付けることにより、支持ブロック２１を介してデッドボルト３に緩衝体２５、２５を装着する。
【００３０】
なお、このとき緩衝体２５の一部が案内長孔４内に覗くように、緩衝体の寸法を定めるものとする。具体的には、図７に示す緩衝体２５の左右方向の寸法を適切に設定する。
【００３１】
また、図６に示すように支持ブロック２１の下面に位置決め突起２８、２８を突設し、これらをデッドボルトの下面に開口した位置決め孔２９、２９（図１０参照）の夫々に嵌め合せると、支持ブロック２１が確りとデッドボルト３に装着される。
【００３２】
更にまた、緩衝体２５の図８における左右方向の寸法を適切に設定することにより、緩衝体２５が支持ブロックの切欠２４から抜け出ようとする動きがデッドボルト３の内面により防止される。
【００３３】
上記のように構成されたこの発明の一実施例による錠装置は、図２に示す解錠状態から図９に示す施錠状態に致る施錠行程の終端においても、また、解錠行程の終端においても、デッドボルト３の急激な停止時、ガイド杆５が緩衝体２５と衝突するので、後者の弾性変形、或いは粘弾性変形により衝突エネルギーの大部分が吸収され、衝突に起因する騒音の発生が無くなり、或いは大幅に緩和される。
【００３４】
なお、本発明においては、緩衝体２５を接着ではなく、係合溝２６と支持ブロックの切欠２４との形状係合によってデッドボルトに装着するようにしたので、組立が簡単になるばかりでなく、緩衝体の弾性変形が拘束されないので緩衝効率が増大する。
【図面の簡単な説明】
【００３５】
【図１】錠箱の正面図。
【図２】この発明の一実施例による錠装置の側面図で、解錠状態を示す。
【図３】デッドボルトの横断面図。
【図４】支持ブロックの正面図。
【図５】支持ブロックの断面図。
【図６】支持ブロックの下面図。
【図７】緩衝体の正面図。
【図８】緩衝体の側面図。
【図９】図２と同様の錠装置の側面図で、施錠状態を示す。
【図１０】デッドボルトの下面図。
【符号の説明】
【００３６】
１  錠箱
２  フロント板
３  デッドボルト
４  案内長孔
５  ガイド杆
６  カマ片
７  枢軸
８  作動ピン
９  長孔
１１  デッドカム
１２  作動アーム
１３  従動切欠
１４  ストッパ
１５  クリックレバー
１６  トリガー杆
１７  カム穴
１８  係止杆
１９  従動ピン
２１  支持ブロック
２２  ピン穴
２３  ガイド溝
２４  切欠
２５  緩衝体
２６  係合溝
２７  固定ピン
２８  位置決め突起
２９  位置決め孔
【図１】
0005413553.tif 000002
【図２】
0005413553.tif 000003
【図３】
0005413553.tif 000004
【図４】
0005413553.tif 000005
【図５】
0005413553.tif 000006
【図６】
0005413553.tif 000007
【図７】
0005413553.tif 000008
【図８】
0005413553.tif 000009
【図９】
0005413553.tif 000010
【図１０】
0005413553.tif 000011